(57)【要約】【課題】非発光領域を目立ちにくくできる面発光モジュールを提供する。【解決手段】面発光モジュールは、発光面１０Ｓを有する面光源１０と、入射面２１および出射面２２を有し、入射面に凹凸パターン２３が形成され、凹凸パターンが発光面に対向するように配置されたプリズムシート２０とを備える。発光面は、発光領域ＲＡと非発光領域ＲＢとを含む。発光領域は、発光領域のうちの中央部の正面輝度に比べて、発光領域のうちの中央部から見て第１方向Ｘ１に位置する第１外側部の正面輝度の方が高くなる輝度分布を有する。発光領域ＲＡから当該発光領域ＲＡの法線方向よりも第１方向Ｘ１の側に放射してプリズムシート２０に入射した光は、凹凸パターン２３によって、プリズムシート２０に入射する前に比べてより第１方向Ｘ１の側に広がるように偏向されている。【選択図】図８
2016085797.tif 000002
【特許請求の範囲】
【請求項１】
発光面を有する面光源と、
入射面および出射面を有し、前記入射面に凹凸パターンが形成され、前記凹凸パターンが前記発光面に対向するように配置されたプリズムシートと、を備え、
前記発光面は、発光領域と、前記発光領域の周囲に形成された非発光領域とを含み、
前記発光領域は、前記発光領域のうちの中央部の正面輝度に比べて、前記発光領域のうちの前記中央部から見て第１方向に位置する第１外側部の正面輝度の方が高くなる輝度分布を有し、
前記発光領域から当該発光領域の法線方向よりも前記第１方向の側に放射して前記プリズムシートに入射した光は、前記凹凸パターンによって、前記プリズムシートに入射する前に比べてより前記第１方向の側に広がるように偏向されている、
面発光モジュール。
【請求項２】
前記第１外側部から見て前記第１方向に位置し且つ前記第１外側部と前記非発光領域とを区画している第１境界線は、前記第１方向に対して交差する方向に沿って延びる直線形状を成しており、
前記プリズムシートの前記凹凸パターンは、複数の傾斜面を有しており、
複数の前記傾斜面の各々は、前記第１境界線に対して略平行な方向に沿って延在するとともに、前記第１方向に沿って順に並ぶように形成されている、
請求項１に記載の面発光モジュール。
【請求項３】
前記面光源は、透明電極を通して発光層へ給電する有機ＥＬから構成され、
前記透明電極のうちの前記発光領域の外側に位置する部分には、前記第１境界線に対して略平行な方向に沿って延在する補助電極が設けられている、
請求項２に記載の面発光モジュール。
【請求項４】
前記面光源は、透明電極を通して発光層へ給電する有機ＥＬから構成され、
前記透明電極のうちの前記発光領域の両外側に位置する部分には、前記第１境界線に対して略平行な方向に沿って延在する２つの補助電極がそれぞれ設けられ、
前記第１方向とは逆の方向を第２方向とし、前記発光領域のうちの前記中央部から見て前記第２方向に位置する部分を第２外側部とすると、前記第２外側部から見て前記第２方向に位置し且つ前記第２外側部と前記非発光領域とを区画している第２境界線は、前記第１境界線に対して略平行な方向に沿って延在しており、
前記発光領域は、前記発光領域のうちの前記中央部の正面輝度に比べて、前記発光領域のうちの前記第１外側部および前記第２外側部の正面輝度の方が高くなる輝度分布を有し、
前記発光領域から当該発光領域の法線方向よりも前記第２方向の側に放射して前記プリズムシートに入射した光は、前記凹凸パターンによって、前記プリズムシートに入射する前に比べてより前記第２方向の側に広がるように偏向される、
請求項２に記載の面発光モジュール。
【請求項５】
前記プリズムシートの前記出射面には、光拡散部が設けられている、
請求項２から４のいずれか１項に記載の面発光モジュール。
【請求項６】
前記面光源の前記発光面には、他の光拡散部が設けられている、
請求項２から５のいずれか１項に記載の面発光モジュール。
【請求項７】
前記プリズムシートの前記凹凸パターンは、行列方向に配列された複数の単位プリズム部から構成され、
複数の前記単位プリズム部の各々は、錐状または錐台状の形状を有し、表面に前記傾斜面が形成されている、
請求項２に記載の面発光モジュール。
【請求項８】
前記面光源は、透明電極を通して発光層へ給電する有機ＥＬから構成され、
前記発光領域のうちの前記中央部の外周に位置する部分を外周部とすると、前記第１境界線を含み前記外周部と前記非発光領域とを区画している境界線は、矩形状の形状を成しており、
前記透明電極のうちの前記発光領域の外周に位置する部分には、前記境界線の４辺に対して略平行な方向に沿って延在する４つの補助電極がそれぞれ設けられ、
前記発光領域は、前記発光領域のうちの前記中央部の正面輝度に比べて、前記発光領域のうちの前記中央部の外周に位置する前記外周部の正面輝度の方が高くなる輝度分布を有し、
前記発光領域から当該発光領域の法線方向に対して斜め外側に向かって広がるように放射して前記プリズムシートに入射した光は、前記凹凸パターンによって、前記プリズムシートに入射する前に比べてより前記斜め外側に広がるように偏向される、
請求項７に記載の面発光モジュール。
【請求項９】
１つの前記プリズムシートに対して、複数の前記面光源が対向するように配置されている、
請求項１から８のいずれか１項に記載の面発光モジュール。
【請求項１０】
前記面光源および前記プリズムシートは、可撓性を有している、
請求項１から９のいずれか１項に記載の面発光モジュール。
【発明の詳細な説明】
【技術分野】
【０００１】
本発明は、面光源を備えた面発光モジュールに関する。
【背景技術】
【０００２】
面光源は、白熱灯およびＬＥＤのような点光源や、蛍光灯のような線光源とは異なり、面光源の発光面の略全体が発光する。このような面光源を備えた面発光モジュールは、照明分野に限られず、液晶テレビ、計算機モニターまたは屋外広告などの、各種機器のバックライトとしても用いられている。面光源の一例としては、有機ＥＬが知られている。有機ＥＬは、薄型の面光源であり可撓性を有しているため、照明用の新しい光源として期待されている。
【０００３】
有機ＥＬなどの面光源においては、水分および酸素から発光部分（発光層または発光素子など）を保護するため、発光部分の周囲に封止を行なうのが一般的である。封止部は、発光部分を覆うように設けられるため、発光部分よりも広い面積を有している。このため、面光源のうちの光を出射する面（発光面）には、光を実際に放射する発光領域だけでなく、光をほとんどまたは全く放射しない非発光領域が形成される。
【０００４】
封止部は、面光源を製造する際に発光部分を保護するという機能も有する。面光源を製造する際には、面光源の端部にクラック等が生じやすい。封止部は、クラック等の発生も抑制する。発光部分を保護するというこれらの必要性から、発光部分の周囲から封止部を完全になくすことは難しく、発光領域の周囲には一定幅を有する非発光領域が形成される。
【０００５】
発光領域から放射された光を非発光領域に回すことで、あたかも非発光領域から光が放射されているかのような擬似的な視覚効果が得られ、非発光領域の存在が目立ちにくくなる。下記の特許文献１，２に開示されているように、プリズムシートを用いることで、光の配光を調整する技術が知られている。プリズムシートは、光の屈折の作用を利用して特定方向についての輝度を向上させるシート状の光学素子であり、レンズシートやＢＥＦ（Brightness  Enhancement  Film）とも称される。
【先行技術文献】
【特許文献】
【０００６】
【特許文献１】特開２０１０−２６２８２７号公報
【特許文献２】特開２００６−０５９５４２号公報
【発明の概要】
【発明が解決しようとする課題】
【０００７】
本発明は、面光源およびプリズムシートを備えた面発光モジュールにおいて、非発光領域を従来に比して目立ちにくくすることを目的とする。
【課題を解決するための手段】
【０００８】
本発明に基づく面発光モジュールは、発光面を有する面光源と、入射面および出射面を有し、上記入射面に凹凸パターンが形成され、上記凹凸パターンが上記発光面に対向するように配置されたプリズムシートと、を備え、上記発光面は、発光領域と、上記発光領域の周囲に形成された非発光領域とを含み、上記発光領域は、上記発光領域のうちの中央部の正面輝度に比べて、上記発光領域のうちの上記中央部から見て第１方向に位置する第１外側部の正面輝度の方が高くなる輝度分布を有し、上記発光領域から当該発光領域の法線方向よりも上記第１方向の側に放射して上記プリズムシートに入射した光は、上記凹凸パターンによって、上記プリズムシートに入射する前に比べてより上記第１方向の側に広がるように偏向されている。
【０００９】
好ましくは、上記第１外側部から見て上記第１方向に位置し且つ上記第１外側部と上記非発光領域とを区画している第１境界線は、上記第１方向に対して交差する方向に沿って延びる直線形状を成しており、上記プリズムシートの上記凹凸パターンは、複数の傾斜面を有しており、複数の上記傾斜面の各々は、上記第１境界線に対して略平行な方向に沿って延在するとともに、上記第１方向に沿って順に並ぶように形成されている。
【００１０】
好ましくは、上記面光源は、透明電極を通して発光層へ給電する有機ＥＬから構成され、上記透明電極のうちの上記発光領域の外側に位置する部分には、上記第１境界線に対して略平行な方向に沿って延在する補助電極が設けられている。
【００１１】
好ましくは、上記面光源は、透明電極を通して発光層へ給電する有機ＥＬから構成され、上記透明電極のうちの上記発光領域の両外側に位置する部分には、上記第１境界線に対して略平行な方向に沿って延在する２つの補助電極がそれぞれ設けられ、上記第１方向とは逆の方向を第２方向とし、上記発光領域のうちの上記中央部から見て上記第２方向に位置する部分を第２外側部とすると、上記第２外側部から見て上記第２方向に位置し且つ上記第２外側部と上記非発光領域とを区画している第２境界線は、上記第１境界線に対して略平行な方向に沿って延在しており、上記発光領域は、上記発光領域のうちの上記中央部の正面輝度に比べて、上記発光領域のうちの上記第１外側部および上記第２外側部の正面輝度の方が高くなる輝度分布を有し、上記発光領域から当該発光領域の法線方向よりも上記第２方向の側に放射して上記プリズムシートに入射した光は、上記凹凸パターンによって、上記プリズムシートに入射する前に比べてより上記第２方向の側に広がるように偏向される。
【００１２】
好ましくは、上記プリズムシートの上記出射面には、光拡散部が設けられている。
好ましくは、上記面光源の上記発光面には、他の光拡散部が設けられている。
【００１３】
好ましくは、上記プリズムシートの上記凹凸パターンは、行列方向に配列された複数の単位プリズム部から構成され、複数の上記単位プリズム部の各々は、錐状または錐台状の形状を有し、表面に上記傾斜面が形成されている。
【００１４】
好ましくは、上記面光源は、透明電極を通して発光層へ給電する有機ＥＬから構成され、上記発光領域のうちの上記中央部の外周に位置する部分を外周部とすると、上記第１境界線を含み上記外周部と上記非発光領域とを区画している境界線は、矩形状の形状を成しており、上記透明電極のうちの上記発光領域の外周に位置する部分には、上記境界線の４辺に対して略平行な方向に沿って延在する４つの補助電極がそれぞれ設けられ、上記発光領域は、上記発光領域のうちの上記中央部の正面輝度に比べて、上記発光領域のうちの上記中央部の外周に位置する上記外周部の正面輝度の方が高くなる輝度分布を有し、上記発光領域から当該発光領域の法線方向に対して斜め外側に向かって広がるように放射して上記プリズムシートに入射した光は、上記凹凸パターンによって、上記プリズムシートに入射する前に比べてより上記斜め外側に広がるように偏向される。
【００１５】
好ましくは、１つの上記プリズムシートに対して、複数の上記面光源が対向するように配置されている。
【００１６】
好ましくは、上記面光源および上記プリズムシートは、可撓性を有している。
【発明の効果】
【００１７】
上記の構成によれば、面光源およびプリズムシートを備えた面発光モジュールにおいて、非発光領域を従来に比して目立ちにくくすることが可能となる。
【図面の簡単な説明】
【００１８】
【図１】実施の形態１における面発光モジュールを示す底面図であり、図２中の矢印Ｉ方向から見た面発光モジュールに相当している。
【図２】図１中のＩＩ−ＩＩ線に沿った矢視断面図である。
【図３】実施の形態１における面発光モジュールに備えられる面光源を示す断面図である。
【図４】実施の形態１における面発光モジュールに備えられる面光源を示す平面図であり、図３中の矢印ＩＶ方向から見た面光源に相当している。
【図５】実施の形態１における面発光モジュールに備えられる面光源を示す底面図であり、図３中の矢印Ｖ方向から見た面光源に相当している。
【図６】図５中に示す発光領域のうち、二点鎖線を用いて矢印Ｘが描かれている位置における部分から放射される光の正面輝度を表わすグラフである。
【図７】実施の形態１における面発光モジュールの発光している様子を示す底面図であり、図８中の矢印ＶＩＩ方向から見た面発光モジュールに相当している。
【図８】図７中のＶＩＩＩ−ＶＩＩＩ線に沿った矢視断面図である。
【図９】実施の形態２における面発光モジュールを示す断面図である。
【図１０】実施の形態３における面発光モジュールを示す断面図である。
【図１１】実験例（実施例）に用いた面発光モジュールのシミュレーションモデルを示す図である。
【図１２】比較例１〜３および実施例によるシミュレーション結果として、光源幅と相対輝度との関係（輝度プロファイル）を示すグラフである。
【図１３】比較例ａ、比較例１〜３および実施例によるシミュレーション結果として、中央部と比べて輝度が５０％となる位置を示した図である。
【図１４】実施の形態４における面発光モジュールに備えられる面光源を示す断面図である。
【図１５】実施の形態４における面発光モジュールに備えられる面光源を示す平面図であり、図１４中の矢印ＸＶ方向から見た面光源に相当している。
【図１６】実施の形態４における面発光モジュールに備えられる面光源から放射される光の正面輝度を表わすグラフである（図６と同一の位置における部分から放射される光の正面輝度を表わしている）。
【図１７】実施の形態５における面発光モジュールに備えられる面光源を示す断面図である。
【図１８】実施の形態５における面発光モジュールに備えられる面光源を示す平面図であり、図１７中の矢印ＸＶＩＩＩ方向から見た面光源に相当している。
【図１９】実施の形態５における面発光モジュールに備えられる面光源を示す底面図であり、図１７中の矢印ＸＩＸ方向から見た面光源に相当している。
【図２０】実施の形態５の変形例における面発光モジュールに備えられるプリズムシートを示す斜視図である。
【図２１】実施の形態６における面発光モジュールを示す断面図である。
【発明を実施するための形態】
【００１９】
実施の形態について、以下、図面を参照しながら説明する。同一の部品および相当部品には同一の参照番号を付し、重複する説明は繰り返さない場合がある。
【００２０】
［実施の形態１］
（面発光モジュール１００）
図１〜図８を参照して、実施の形態１における面発光モジュール１００について説明する。図１は、面発光モジュール１００を示す底面図であり、図２中の矢印Ｉ方向から見た面発光モジュール１００に相当している。図２は、図１中のＩＩ−ＩＩ線に沿った矢視断面図である。図１および図２に示すように、面発光モジュール１００は、面光源１０（図２）およびプリズムシート２０を備える。以下、面光源１０およびプリズムシート２０について順に詳述する。
【００２１】
（面光源１０）
図３は、面光源１０を示す断面図である。図４は、面光源１０を示す平面図であり、図３中の矢印ＩＶ方向から見た面光源１０に相当している。図５は、面光源１０を示す底面図であり、図３中の矢印Ｖ方向から見た面光源１０に相当している。便宜上のため、図２中においては面光源１０を模式的に図示している。
【００２２】
図２〜図５（主として図３）に示すように、面光源１０は、透明基板１１、陽極１２、発光層１３、陰極１４、封止部材１５、および絶縁層１６を含む。透明基板１１は、ガラス、薄膜ガラス、または樹脂フィルムなどから構成される。
【００２３】
透明基板１１は、面光源１０の発光面１０Ｓを形成する部材である。透明基板１１を、薄膜ガラスや樹脂フィルム等の柔軟な材料を用いて作製した場合、面光源１０は可撓性を有することになり、面光源１０の全体を湾曲させることが可能となる。面光源１０の可撓性は、面光源１０の設置の自由度を向上させる。
【００２４】
陽極１２（図２に図示せず）は、透明性を有する導電膜である。陽極１２は、たとえば透明基板１１上にＩＴＯが成膜されることで形成される。陽極１２を形成するためのＩＴＯ膜の一部は、電極取出部１７（陽極用）を形成しており、電気的な接続のために封止部材１５から露出している。本実施の形態では、電極取出部１７は２箇所に設けられており（図３，図４参照）、一方の電極取出部１７は発光層１３から見て矢印Ｘ１方向に位置しており、他方の電極取出部１７は発光層１３から見て矢印Ｘ２の方向に位置している。
【００２５】
発光層１３は、電力を供給されることによって光を生成する。発光層１３は、単一または複数の層が積層されることによって構成される。陰極１４（図２に図示せず）は、たとえばアルミニウム（ＡＬ）であり、発光層１３を覆うように形成される。陰極１４（図３）を形成するためのアルミニウムの一部は、図４に示す電極取出部１８（陰極用）を形成しており、電気的な接続のために封止部材１５から露出している。本実施の形態の電極取出部１８は、発光層１３（図３参照）から見て矢印Ｘ１，Ｘ２方向に対して直交する方向に位置している。絶縁層１６（図３参照）は、陰極１４と陽極１２との間に設けられる。
【００２６】
封止部材１５は、ガラス、薄膜ガラス、または樹脂フィルムなどから構成される。封止部材１５は、陽極１２、発光層１３、および陰極１４の略全体を透明基板１１上に封止する。電極取出部１７，１８は、電気的な接続のために、封止部材１５から露出している。電極取出部１７，１８は、配線部材４１〜４３（図４参照）を通して外部電源に電気的に接続される。
【００２７】
面光源１０においては、陽極１２（透明電極）のうちの発光領域ＲＡの外側に位置する部分（図４中の紙面左側に露出している電極取出部１７の部分）に、補助電極１７ａが設けられている。さらに、陽極１２（透明電極）のうちの発光領域ＲＡの外側に位置する部分（図４中の紙面右側に露出している電極取出部１７の部分）に、補助電極１７ｂが設けられている。
【００２８】
一般的に、透明電極を構成するＩＴＯなどは高い電気抵抗を有するため、給電点（たとえば図４に示す配線部材４１が設けられる点）から離れるほど電圧降下の影響を受けやすい。仮に補助電極が設けられていない場合には、給電点から離れるにつれて輝度も同心円状に低くなる。
【００２９】
一方で、補助電極１７ａは透明電極に比べて十分に低い電気抵抗を有しているため、補助電極１７ａ内で生じる電位差は極めて小さい。電極取出部１７に補助電極１７ａを設けた場合には、図４に示す配線部材４１が設けられる点（給電点）から離れたとしても、電圧降下の影響が生じることはほとんどない。これは、補助電極１７ｂについても同様である。
【００３０】
（発光領域ＲＡおよび非発光領域ＲＢ）
図３および図４を参照して、以上のように構成される面光源１０においては、配線部材４１〜４３、補助電極１７ａ，１７ｂ、電極取出部１７，１８、陽極１２（透明電極）および陰極１４を通して発光層１３へ給電される。発光層１３の中で光が生成され、光の一部はそのまま陽極１２を通過して発光面１０Ｓから取り出され、光の他の一部は陰極１４で反射したのちに陽極１２を通過して発光面１０Ｓから取り出される。
【００３１】
面光源１０においては、発光面１０Ｓの一部（発光領域ＲＡ）が発光する（図３中の白色矢印参照）。面光源１０の発光面１０Ｓは、発光領域ＲＡ（図３，図５）および非発光領域ＲＢを含んでおり、発光領域ＲＡが主として光を放射する。発光領域ＲＡの周囲に形成される非発光領域ＲＢ（図５参照）は、光をほとんどまたは全く放射しない。本実施の形態では、封止部材１５および電極取出部１７，１８を面光源１０に設けたことによって、非発光領域ＲＢが発光領域ＲＡの周囲を囲うように形成されている。
【００３２】
図５を参照して、発光領域ＲＡと非発光領域ＲＢとは、図５中の一点鎖線で示す境界線によって区画される。この境界線は、点Ｐ１，Ｐ２，Ｑ１，Ｑ２を４つの頂点とする矩形状の形状を成しており、この境界線の内側に発光領域ＲＡが位置し、この境界線の外側に非発光領域ＲＢが位置している。
【００３３】
図５に示すように、発光領域ＲＡは、矩形状の形状を成している。本実施の形態の発光領域ＲＡは、中央部ＲＣ、第１外側部Ｒ１および第２外側部Ｒ２を含み、これらはいずれも略矩形状の形状を成している。中央部ＲＣは、図５中に示す矢印Ｘ方向において、発光領域ＲＡの中央に位置している。第１外側部Ｒ１および第２外側部Ｒ２は、図５中に示す矢印Ｘの方向において、中央部ＲＣの両外側にそれぞれ位置している。中央部ＲＣ、第１外側部Ｒ１および第２外側部Ｒ２は、幅寸法によって区分けできる。
【００３４】
矢印Ｘの方向とは、任意の方向として定義できるものであるが、本実施の形態における矢印Ｘの方向とは、発光領域ＲＡの２つの長辺（後述する第１境界線ＢＬ１および第２境界線ＢＬ２に相当）に対して直交する方向である。ここでは、矢印Ｘに対して平行であり且つ矢印Ｘで示す向きと逆向きである方向を第１方向（矢印Ｘ１に示す方向）と定義し、矢印Ｘに対して平行であり且つ矢印Ｘで示す向きと同じ向きである方向を第２方向（矢印Ｘ２に示す方向）と定義する。
【００３５】
矢印Ｘ１，Ｘ２の定義については、図１〜図５および以降の説明で触れるすべての図面においても共通している。発光領域ＲＡのうちの第１外側部Ｒ１は、中央部ＲＣから見て第１方向（矢印Ｘ１に示す方向）に位置しており、発光領域ＲＡのうちの第２外側部Ｒ２は、中央部ＲＣから見て第２方向（矢印Ｘ２に示す方向）に位置している。
【００３６】
発光領域ＲＡと非発光領域ＲＢとを区画している境界線のうち、第１外側部Ｒ１から見て第１方向Ｘ１に位置し、且つ、第１外側部Ｒ１と非発光領域ＲＢとを区画している第１境界線ＢＬ１は、第１方向Ｘ１に対して交差する（本実施の形態では直交する）方向に沿って延びる直線形状を成している。
【００３７】
発光領域ＲＡと非発光領域ＲＢとを区画している境界線のうち、第２外側部Ｒ２から見て第２方向Ｘ２に位置し、且つ、第２外側部Ｒ２と非発光領域ＲＢとを区画している第２境界線ＢＬ２は、第１方向Ｘ１に対して交差する（本実施の形態では直交する）方向に沿って延びる直線形状を成している。本実施の形態では、第１境界線ＢＬ１と第２境界線ＢＬ２とは略平行である。
【００３８】
図４および図５を参照して、本実施の形態においては、補助電極１７ａは、第１境界線ＢＬ１に対して略平行な方向に沿って延在しており、補助電極１７ｂは、第２境界線ＢＬ２に対して略平行な方向に沿って延在している。第１境界線ＢＬ１の外側に設けられた補助電極１７ａと、第２境界線ＢＬ２の外側に設けられた補助電極１７ｂとは略平行である。
【００３９】
図６は、図５中に示す発光領域ＲＡのうち、二点鎖線を用いて矢印Ｘが描かれている位置における部分から放射される光の正面輝度Ｎ１を表わすグラフである。本実施の形態における発光領域ＲＡは、発光領域ＲＡのうちの中央部ＲＣの正面輝度に比べて、発光領域ＲＡのうちの中央部ＲＣから見て第１方向Ｘ１に位置する第１外側部Ｒ１の正面輝度の方が高くなる輝度分布を有している。さらに、発光領域ＲＡは、発光領域ＲＡのうちの中央部ＲＣの正面輝度に比べて、発光領域ＲＡのうちの中央部ＲＣから見て第２方向Ｘ２に位置する第２外側部Ｒ２の正面輝度の方が高くなる輝度分布を有している。
【００４０】
正面輝度Ｎ１は、矢印Ｘ１，Ｘ２方向において左右対称の形状を有している。面光源１０の発光面１０Ｓのうち、矢印Ｘ１，Ｘ２方向における光の正面輝度は、矢印Ｘ１，Ｘ２に対して直交する方向におけるどの位置の正面輝度を採ってみても、図６に示す正面輝度Ｎ１と略同一に現れる。このような輝度分布は、補助電極１７ａ，１７ｂを用いることで容易に実現できる。
【００４１】
（プリズムシート２０）
図１および図２を再び参照して、プリズムシート２０（ＢＥＦともいう）は、入射面２１および出射面２２を有するシート状の光学素子である。プリズムシート２０は、光透過性を有し、たとえば樹脂から形成される。プリズムシート２０の厚さは、たとえば３．０ｍｍであり、入射面２１には凹凸パターン２３が形成されている。出射面２２は、平坦な面形状を有している。
【００４２】
プリズムシート２０は、入射面２１（凹凸パターン２３）が面光源１０の発光面１０Ｓに対向するように配置されている。図１においては、面光源１０の発光領域ＲＡと非発光領域ＲＢとを区画している境界線の出射面２２の側から見た様子を、一点鎖線を用いて透過的に図示している。上述の通り、ここで言う境界線には第１境界線ＢＬ１および第２境界線ＢＬ２が含まれる。
【００４３】
プリズムシート２０は、発光領域ＲＡの全部を覆うことが可能な分の大きさを少なくとも有しており、本実施の形態のプリズムシート２０は、発光面１０Ｓの全部を覆うように設けられている。プリズムシート２０は、柔軟な材料を用いて作製してもよい。プリズムシート２０は可撓性を有することになり、プリズムシート２０の全体を湾曲させることが可能となる。プリズムシート２０の可撓性は、プリズムシート２０の設置の自由度を向上させる。
【００４４】
入射面２１に設けられた凹凸パターン２３は、複数の単位プリズム部２４から構成される。図１に示すようにプリズムシート２０を平面的に見た場合、単位プリズム部２４の各々（一つ一つ）は、矢印Ｘ１，Ｘ２方向に対して交差する（本実施の形態では直交する）方向に沿って、直線状に延びる形状を成している。
【００４５】
単位プリズム部２４の各々は、谷部２５、傾斜面２６、山部２７および傾斜面２８を含んでおり、断面形状は三角形である。図１においては、谷部２５および山部２７の出射面２２の側から見た様子を、点線（破線）を用いて透過的に図示している。本実施の形態では、複数の傾斜面２６，２８の各々は、面光源１０における第１境界線ＢＬ１に対して略平行な方向に沿って延在するとともに、矢印Ｘ１で示す第１方向（もしくは矢印Ｘ２で示す第２方向）に沿って順に並ぶように形成されている。
【００４６】
（作用および効果）
図７は、面発光モジュール１００の発光している様子を示す底面図であり、図８中の矢印ＶＩＩ方向から見た面発光モジュール１００に相当している。図８は、図７中のＶＩＩＩ−ＶＩＩＩ線に沿った矢視断面図である。上述の通り、面発光モジュール１００においては、プリズムシート２０の凹凸パターン２３（複数の傾斜面２６，２８）が形成されている方の面が入射面２１として機能しており、面光源１０の発光面１０Ｓに対向するように配置されている。
【００４７】
図７および図８を参照して、面光源１０の発光領域ＲＡから放射された光は、入射面２１からプリズムシート２０に入射する。この際、プリズムシート２０の凹凸パターン２３は、プリズムシート２０に入射する光を屈折させる。プリズムシート２０に入射した光は、屈折の作用を受けて、広がるように進行する。
【００４８】
発光領域ＲＡから当該発光領域ＲＡの法線方向よりも第１方向Ｘ１の側に放射してプリズムシート２０に入射した光は、凹凸パターン２３によって、プリズムシート２０に入射する前に比べてより第１方向Ｘ１の側に広がるように偏向されている（図７，図８に示す矢印Ｄ１参照）。同様に、発光領域ＲＡから当該発光領域ＲＡの法線方向よりも第２方向Ｘ２の側に放射してプリズムシート２０に入射した光は、凹凸パターン２３によって、プリズムシート２０に入射する前に比べてより第２方向Ｘ２の側に広がるように偏向されている（図７，図８に示す矢印Ｄ２参照）。
【００４９】
仮に、プリズムシート２０が面光源１０の発光面１０Ｓに対向するように配置されていないとすると、光の広がり具合は、図７中に示す線ＲＡ１ａと線ＲＡ１ｂとの間の範囲にとどまることになる。ここでいう光の広がりとは、プリズムシート２０が面光源１０の発光面１０Ｓに対向配置されているとした場合の、出射面２２の位置における光の広がりである。
【００５０】
これに対して本実施の形態においては、プリズムシート２０の凹凸パターン２３が面光源１０の発光面１０Ｓに対向しており、プリズムシート２０に設けられた複数の傾斜面２６，２８の各々は、第１境界線ＢＬ１および第２境界線ＢＬ２に対して略平行な方向に沿って延在している。出射面２２の位置における光の広がり具合は、図７中に示す線ＲＡ２で囲まれる範囲にまで拡大される。
【００５１】
プリズムシート２０の出射面２２においては、発光領域が発光領域ＲＡよりも拡大しており、面光源１０を単独で用いる場合に比べて広い光の放射範囲が得られる。換言すると、面光源１０の発光領域ＲＡから放射された光は、プリズムシート２０の屈折作用を受けて、プリズムシート２０の出射面２２のうちの非発光領域ＲＢに対応する部分にまで進行し、そこから放射される。面発光モジュール１００を正面から見た場合には、あたかも非発光領域ＲＢから光が放射されているかのような擬似的な視覚効果が得られ、非発光領域ＲＢの存在が目立ちにくくなる。
【００５２】
本実施の形態においては、発光領域ＲＡのうちの第１外側部Ｒ１（図５）と非発光領域ＲＢとの間に位置する第１境界線ＢＬ１に対して、プリズムシート２０の傾斜面２６，２８が略平行に延びるように配置されている。この構成によれば、第１外側部Ｒ１およびその近傍から放射された光を、非発光領域ＲＢの方に向けて（図７，図８に示す矢印Ｄ１方向に）効率良く進行させることができる。
【００５３】
同様に、発光領域ＲＡのうちの第２外側部Ｒ２（図５）と非発光領域ＲＢとの間に位置する第２境界線ＢＬ２に対しても、プリズムシート２０の傾斜面２６，２８が略平行に延びるように配置されている。この構成によれば、第２外側部Ｒ２およびその近傍から放射された光を、非発光領域ＲＢの方に向けて（図７，図８に示す矢印Ｄ２方向に）効率良く進行させることができる。
【００５４】
また、第１境界線ＢＬ１および第２境界線ＢＬ２に対してプリズムシート２０の傾斜面２６，２８が略平行に延びるように配置されているため、第１境界線ＢＬ１および第２境界線ＢＬ２に沿って、一様に発光領域を拡大することができる。面光源１０の発光面１０Ｓが矩形状の発光領域ＲＡを有していることに対して、発光領域ＲＡの形状からの極端な変化を伴うことなく、出射面２２における発光領域も矩形状とすることができる。
【００５５】
図５および図６を参照しながら上述した通り、本実施の形態の発光領域ＲＡは、発光領域ＲＡのうちの中央部ＲＣの正面輝度に比べて、発光領域ＲＡのうちの第１外側部Ｒ１（図５）の正面輝度の方が高くなる輝度分布を有している。当該構成によれば、中央部ＲＣに比べて高い輝度を有する第１外側部Ｒ１から放射された光は、非発光領域ＲＢのうちの発光領域ＲＡ（第１外側部Ｒ１）から見て第１方向（矢印Ｘ１方向）に位置する部分の輝度向上に寄与する。その一方で、出射面２２のうちの第１外側部Ｒ１に対応する部分の輝度は減少する。したがって、プリズムシート２０の出射面２２のうち、中央部ＲＣに対応する部分と、第１外側部Ｒ１に対応する部分と、第１外側部Ｒ１から見て第１方向（矢印Ｘ１方向）に位置する部分との輝度のばらつきを小さくすることが可能となる。
【００５６】
同様に、本実施の形態の発光領域ＲＡは、発光領域ＲＡのうちの中央部ＲＣの正面輝度に比べて、発光領域ＲＡのうちの第２外側部Ｒ２（図５）の正面輝度の方が高くなる輝度分布を有している。当該構成によれば、中央部ＲＣに比べて高い輝度を有する第２外側部Ｒ２から放射された光は、非発光領域ＲＢのうちの発光領域ＲＡ（第２外側部Ｒ２）から見て第２方向（矢印Ｘ１方向）に位置する部分の輝度向上に寄与する。その一方で、出射面２２のうちの第２外側部Ｒ２に対応する部分の輝度は減少する。したがって、プリズムシート２０の出射面２２のうち、中央部ＲＣに対応する部分と、第２外側部Ｒ２に対応する部分と、第２外側部Ｒ２から見て第２方向（矢印Ｘ２方向）に位置する部分との輝度のばらつきを小さくすることが可能となる。
【００５７】
面発光モジュール１００によれば、非発光領域ＲＢから光が放射されているかのような擬似的な視覚効果が得られ、非発光領域ＲＢの存在が目立ちにくくなるという効果が得られるだけでなく、図７中に示す線ＲＡ２で囲まれる発光領域から放射される光の輝度のばらつきを小さくすることも可能となる。
【００５８】
［実施の形態２］
図９を参照して、実施の形態２における面発光モジュール１０１について説明する。ここでは、実施の形態２と実施の形態１との相違点について説明する。図９は、面発光モジュール１０１を示す断面図であり、実施の形態１における図２および図８に対応している。面発光モジュール１０１においては、プリズムシート２０の出射面２２に、光拡散部３１が設けられている。
【００５９】
光拡散部３１は、内部に微粒子を含むことで内部散乱作用を利用して光を拡散するものや、部材表面に凹凸を有することで界面反射作用や界面屈折作用を利用して光を拡散するもの等が利用可能である。光拡散部３１は、プリズムシート２０とは別体として作製された後にプリズムシート２０に接合された部位（たとえば拡散シート）であってもよいし、プリズムシート２０の一部としてプリズムシート２０と一体的に作製された部位（荒らし加工によって形成できる部位）であってもよい。
【００６０】
プリズムシート２０の内部で進行した光は、光拡散部３１を通過する際に拡散されるため、あたかも光拡散部３１が発光しているように見え、光源がより一層広がったように見えるという視覚効果が得られる。また、光拡散部３１の光拡散効果によって、輝度ムラも低減できる。
【００６１】
［実施の形態３］
図１０を参照して、実施の形態３における面発光モジュール１０２について説明する。ここでは、実施の形態３と実施の形態１との相違点について説明する。図１０は、面発光モジュール１０２を示す断面図であり、実施の形態１における図２および図８に対応している。面発光モジュール１０２においては、面光源１０の発光面１０Ｓに、光拡散部３２が設けられている。
【００６２】
光拡散部３２は、内部に微粒子を含むことで内部散乱作用を利用して光を拡散するものや、部材表面に凹凸を有することで界面反射作用や界面屈折作用を利用して光を拡散するもの等が利用可能である。光拡散部３２は、面光源１０の透明基板１１とは別体として作製された後に透明基板１１に接合された部位（たとえば拡散シート）であってもよいし、透明基板１１の一部として透明基板１１と一体的に作製された部位（荒らし加工によって形成できる部位）であってもよい。
【００６３】
光拡散部３２は、光拡散部３２を通過する光を拡散させる。光拡散部３２を通過する前の光と、光拡散部３２を通過した後の光とを比較した場合、光拡散部３２を通過した後の光の配光特性は、配光特性の角度ごとの光量差が小さくなるように変化する。光拡散部３２を通過した光の配光特性はランバート分布に近づくため、配光の波長依存性が小さくなる。したがって、プリズムシート２０の出射面２２から光が放射される際、光源（発光領域）を拡大したことに起因する色味のずれが生じること（配光差が生じること）を抑えることが可能となる。
【００６４】
また、発光層１３で生成された光の多くは、透明基板１１の内部を通過したのちに光拡散部３２の中に入射する。光拡散部３２は、透明基板１１から出射されない光成分を取り出すという、いわゆる光取り出し効果を発揮することもできる。光拡散部３２が設けられていることによって、光取出効率が向上し、ひいては面発光モジュール１００の発光効率が向上する。実施の形態３における構成（面光源１０の発光面１０Ｓに光拡散部３２を設けるという構成）は、上述の実施の形態２と組み合わせて実施することも可能である。
【００６５】
［実験例］
図１１〜図１３を参照して、上述の実施の形態２（図９参照）に関して行なった実験例について説明する。当該実験例は、上述の実施の形態２に基づく実施例と、上述の実施の形態２に基づかない比較例１〜３（図１２参照）および比較例ａ（図１３参照）とを含む。実施の形態２（実施例）の構成による効果を確認するため、シミュレーションによる評価および検証を行った。このシミュレーションは、サイバネット社の幾何光学シミュレーションツール（LightTools（登録商標））を用いて行ない、シミュレーションモデルは図１１に示す構成とした。
【００６６】
図１１を参照して、シミュレーションに用いた面発光モジュールのモデルは、基本構成として、次の特徴を備えるものとした。基本構成は、実施例および比較例１〜３において共通するものとした。面光源１０の発光層１３から出射した仮想光線は、透明基板１１と、プリズムシート２０の基材部分に相当する部材と、光拡散部３１とを順に透過したのちに、図示しない検出装置側へ到達するものとした。
【００６７】
ここで言う「プリズムシート２０の基材部分に相当する部材」とは、単なる平板状の透明部材であり、プリズムシート２０から凹凸パターン２３（単位プリズム部２４）を取り除いた基材部分に相当する。図１１は、実施例の構成を示しており、図１１中のプリズムシート２０は、「プリズムシート２０の基材部分に相当する部材」に加えて、凹凸パターン２３（単位プリズム部２４）を入射面２１側に備えている。検出装置は、出射面２２から放射される光の正面輝度プロファイルを評価するものとした。正面輝度プロファイルに基づいて、光源幅がどの程度広がっているかを検証するものとした。
【００６８】
面光源１０の発光層１３は、正面視で矩形形状を有するものとした。発光層１３の幅ＷＡは３．５ｍｍに設定し、幅ＷＡに対して直交する方向（紙面に対して垂直な方向）の寸法は５．０ｍｍに設定した。検出装置は、発光層１３の短手方向（幅ＷＡの方向）に対応する方向の正面輝度プロファイルを評価するものとした。
【００６９】
発光層１３の背面側に設ける反射電極（図３に示す陰極１４）は、鏡面反射面を有するものとし、その反射率ｒは９０％に設定した。透明基板１１およびプリズムシート２０（基材部分）は、いずれも透過率ｔを１００％に設定し、屈折率ｎを１．５１に設定した。透明基板１１およびプリズムシート２０（基材部分）の大きさは、発光層１３を十分に覆い隠せるような値に設定した。
【００７０】
プリズムシート２０の基材部分の厚みＨＡ（プリズムシート２０のうちの単位プリズム部２４が形成されている部分を除いた基材部分の厚み）は、３．０ｍｍに設定した。透明基板１１の厚みＨＢは、１．３５ｍｍに設定した。さらに、プリズムシート２０（基材部分）の出射面２２には光拡散部３１を設け、この光拡散部３１は、透過率ｔを９５％に設定し、拡散ヘイズ値を９２％に設定した。
【００７１】
上記の基本構成に加えて、凹凸パターン２３（ＢＥＦ）の有無と、発光領域ＲＡ内における面内輝度分布の有無とを付加要素として考慮し、実施例および各比較例において、正面輝度プロファイルがそれぞれどのように変化するかを比較および検証した。
【００７２】
具体的には、比較例１においては、光拡散部３１を有するが、凹凸パターン２３（ＢＥＦ）を有さず、発光領域ＲＡ内における面内輝度分布も有さないものとした（ランバーシャン分布）。比較例２は、比較例１の構成に加えて、凹凸パターン２３（ＢＥＦ）をさらに有するものとしたが、発光領域ＲＡ内における面内輝度分布は有さないものとした（ランバーシャン分布）。
【００７３】
比較例３は、比較例１の構成に加えて、発光領域ＲＡ内における面内輝度分布をさらに有するものとしたが、凹凸パターン２３（ＢＥＦ）は有さないものとした。実施例は、比較例１の構成に加えて、凹凸パターン２３（ＢＥＦ）と、発光領域ＲＡ内における面内輝度分布とを有するものとした。図１３に示す比較例ａは、図１１に示す面光源１０から構成されるものであり、プリズムシート２０（基材部分）そのものを有していない。
【００７４】
本実験例で採用した凹凸パターン２３（ＢＥＦ）とは、上述の実施の形態２の場合と同様に、プリズムシート２０のうちの発光面１０Ｓに対向する側の面に設けられるものとした。凹凸パターン２３は、頂角が４５°であり且つ高さが５０μｍである四角錐型のプリズムを、発光領域ＲＡの端部（発光領域ＲＡと非発光領域ＲＢとの間の境界線）と平行に延びるように隙間なく複数敷き詰めるものとした。
【００７５】
本実験例で採用した発光領域ＲＡ内における面内輝度分布とは、発光領域ＲＡのうちの矢印Ｘ１，Ｘ２方向における両端部から０ｍｍ〜０．３５ｍｍの範囲（図５に示す第１外側部Ｒ１および第２外側部Ｒ２に相当する範囲）の発光輝度を、中央部ＲＣの発光輝度の２倍の値に設定したものである。
【００７６】
（結果）
図１２は、比較例１〜３および実施例によるシミュレーション結果として、光源幅と相対輝度との関係（輝度プロファイル）を示すグラフである。図中の縦軸で示される相対輝度とは、中央（光源幅が０ｍｍとして示される位置）の輝度を、１．０として規格化した値を示している。比較例１の構成に比べて、比較例２，３および実施例の構成によれば、光源幅のより広い輝度プロファイルが得られることがわかる。比較例２，３および実施例を比較すると、実施例の構成が、これらの中で光源幅を最も広く拡大できていることがわかる。
【００７７】
図１３は、比較例ａ、比較例１〜３および実施例によるシミュレーション結果として、中央部と比べて輝度が５０％となる位置（いわゆる半値半幅）を示した図である。図１３を参照することにより、図１２に示す輝度プロファイルの広がり具合をさらに細かく見ることができる。
【００７８】
具体的には、比較例１，２を比較すると、凹凸パターン２３（ＢＥＦ）を付加した場合には、光源幅が０．１２ｍｍだけ拡大することがわかる。比較例１，３を比較すると、発光領域ＲＡ内における面内輝度分布を付加した場合には、光源幅が０．１２ｍｍ分だけ拡大することがわかる。比較例１および実施例を比較すると、凹凸パターン２３（ＢＥＦ）と発光領域ＲＡ内における面内輝度分布との双方を付加した場合には、光源幅が０．２９ｍｍ分だけ拡大することがわかる。
【００７９】
実施例の構成から得られる０．２９ｍｍという値は、比較例２，３の構成から得られる値の合計値（０．２４ｍｍ）よりも大きい。この結果によれば、光源幅を拡大するという課題に対しては、比較例２，３でそれぞれ採用している２つの付加要素を組み合わせて実施した場合には、これら２つの付加要素をそれぞれ独立して実施した場合に得られる効果の合計値に比べて大きな効果が得られることがわかる。
【００８０】
［実施の形態４］
図１４〜図１６を参照して、実施の形態４における面発光モジュールについて説明する。ここでは、実施の形態４と実施の形態１との相違点について説明する。図１４は、実施の形態４における面発光モジュールに備えられる面光源１０Ａを示す断面図であり、実施の形態１における図３に対応している。図１５は、面光源１０Ａを示す平面図であり、図１４中の矢印ＸＶ方向から見た面光源１０Ａに相当している。
【００８１】
図１４および図１５に示すように、面光源１０Ａにおいては、陽極１２を形成するためのＩＴＯ膜は、電極取出部１７（陽極用）および電極取出部１８（陰極用）を形成するために、パターニングによって２つの領域に分割されている。陽極１２（透明電極）のうちの発光領域ＲＡの外側に位置する部分（ここでは電極取出部１７）に、第１境界線ＢＬ１に対して略平行な方向に沿って延在する補助電極１７ａが設けられている。電極取出部１７は、配線部材４１（図１５）および補助電極１７ａを通して給電される。電極取出部１８は、配線部材４２（図１５）を通して給電される。
【００８２】
一般的に、透明電極を構成するＩＴＯなどは高い電気抵抗を有するため、給電点（たとえば図１５に示す配線部材４１が設けられる点）から離れるほど電圧降下の影響を受けやすい。仮に補助電極が設けられていない場合には、給電点から離れるにつれて輝度も同心円状に低くなる。
【００８３】
一方で、補助電極１７ａは透明電極に比べて十分に低い電気抵抗を有しているため、補助電極１７ａ内で生じる電位差は極めて小さい。電極取出部１７に補助電極１７ａを設けた場合には、図１５に示す配線部材４１が設けられる点（給電点）から離れたとしても、電圧降下の影響が生じることはほとんどない。
【００８４】
図１６を参照して、面光源１０Ａの発光面１０Ｓのうち、矢印Ｘ１，Ｘ２方向における光の正面輝度は、矢印Ｘ１，Ｘ２に対して直交する方向におけるどの位置の正面輝度を採ってみても、図１６に示す正面輝度Ｎ２と略同一に現れる。正面輝度Ｎ２は、図１５に示す電極取出部１７が位置している側の正面輝度が最も高く、図１５に示す電極取出部１８が位置している側の正面輝度が最も低くなるという特性を有している。
【００８５】
本実施の形態における発光領域ＲＡは、発光領域ＲＡのうちの中央部ＲＣの正面輝度に比べて、発光領域ＲＡのうちの中央部ＲＣから見て第１方向Ｘ１に位置する第１外側部Ｒ１の正面輝度の方が高くなる輝度分布を有している。一方で、発光領域ＲＡは、発光領域ＲＡのうちの中央部ＲＣの正面輝度に比べて、発光領域ＲＡのうちの中央部ＲＣから見て第２方向Ｘ２に位置する第２外側部Ｒ２の正面輝度の方が低くなる輝度分布を有している。
【００８６】
面光源１０Ａを備えた面発光モジュールによれば、第１方向（矢印Ｘ１方向）に光源が拡大したような効果が得られ、非発光領域ＲＢのうちの、特に発光領域ＲＡから見て第１方向（矢印Ｘ１方向）に位置する部分を目立ちにくくすることができる。
【００８７】
［実施の形態５］
図１７〜図１９を参照して、実施の形態５における面発光モジュールについて説明する。ここでは、実施の形態５と実施の形態１との相違点について説明する。図１７は、実施の形態５における面発光モジュールに備えられる面光源１０Ｃを示す断面図であり、実施の形態１における図３に対応している。図１８は、面光源１０Ｃを示す平面図であり、図１７中の矢印ＸＶＩＩＩ方向から見た面光源１０Ｃに相当している。図１９は、面光源１０Ｃを示す底面図であり、図１７中の矢印ＸＩＸ方向から見た面光源１０Ｃに相当している。
【００８８】
図１７および図１９に示すように、面光源１０Ｃにおいては、陽極１２（透明電極）のうちの発光領域ＲＡの外周に位置する部分（図１８中に現れている電極取出部１７の部分）に、補助電極１７ａ〜１７ｄがそれぞれ設けられている。
【００８９】
図１９に示すように、本実施の形態の発光領域ＲＡは、中央部ＲＣおよび外周部ＲＤを有している。外周部ＲＤは、発光領域ＲＡのうちの中央部ＲＣの外周に位置する部分である。発光領域ＲＡの外周部ＲＤと非発光領域ＲＢとを区画している境界線は、矩形状の形状を成している。この境界線は、第１境界線ＢＬ１および第２境界線ＢＬ２を含んでいる。４つの補助電極１７ａ〜１７ｄ（図１８）は、境界線の４辺に対して略平行な方向に沿って延在しており、全体として矩形状に配置されている。
【００９０】
電極取出部１７は、配線部材４１〜４４（図１８）および補助電極１７ａ〜１７ｄを通して給電される。電極取出部１８は、配線部材４５（図１８）を通して給電される。面光源１０Ｃの発光面１０Ｓから放射される光の正面輝度は、補助電極１７ａ〜１７ｄの位置に対応する部分が最も高く、中央部ＲＣの中央に向かうにつれて徐々に低くなる。つまり、発光領域ＲＡは、中央部ＲＣの正面輝度に比べて、外周部ＲＤの正面輝度の方が高くなる輝度分布を有することになる。このような輝度分布は、補助電極１７ａ〜１７ｄを用いることで容易に実現できる。
【００９１】
面光源１０Ｃの発光領域ＲＡから放射された光は、入射面２１からプリズムシート２０（図８参照）に入射する。この際、プリズムシート２０の凹凸パターン２３は、プリズムシート２０に入射する光を屈折させる。発光領域ＲＡから発光領域ＲＡの法線方向に対して斜め外側に向かって広がるように放射してプリズムシート２０に入射した光は、凹凸パターン２３によって、プリズムシート２０に入射する前に比べてより斜め外側に広がるように偏向されている。
【００９２】
より具体的には、発光領域ＲＡから当該発光領域ＲＡの法線方向に対して第１方向Ｘ１の側に放射してプリズムシート２０に入射した光は、凹凸パターン２３によって、プリズムシート２０に入射する前に比べてより第１方向Ｘ１の側に広がるように偏向されている。同様に、発光領域ＲＡから当該発光領域ＲＡの法線方向に対して第２方向Ｘ２の側に放射してプリズムシート２０に入射した光は、凹凸パターン２３によって、プリズムシート２０に入射する前に比べてより第２方向Ｘ２の側に広がるように偏向されている。さらに、発光領域ＲＡから当該発光領域の法線方向に対して第１方向Ｘ１と直交する方向の側に放射してプリズムシート２０に入射した光は、凹凸パターン２３によって、プリズムシート２０に入射する前に比べてより同方向の側に広がるように偏向されている。その逆の方向についても同様である。
【００９３】
面光源１０Ｃを備えた面発光モジュールによれば、発光領域ＲＡの法線方向に対して第１方向（矢印Ｘ１方向）の側および第２方向（矢印Ｘ２方向）の側だけでなく、発光領域ＲＡの法線方向に対して第１方向に直交する方向の側およびその逆方向の側に光源が拡大したような効果が得られ、非発光領域ＲＢのうちの、発光領域ＲＡから見て第１方向（矢印Ｘ１方向）、第２方向（矢印Ｘ２方向）、第１方向に対して直交する方向およびその逆方向に位置する部分を目立ちにくくすることができる。
【００９４】
（実施の形態５の変形例）
図２０を参照して、プリズムシート２０Ａを用いれば、より高い効果が得られる。プリズムシート２０Ａの入射面２１に形成された凹凸パターン２３は、行列方向に配列された複数の単位プリズム部２４から構成される。複数の単位プリズム部２４の各々は、四角錐状（いわゆるピラミッド）の形状を有し、表面に傾斜面２６ａ〜２６ｄが形成されている。プリズムシート２０Ａも、凹凸パターン２３（入射面２１）が面光源の発光面に対向するように配置される。
【００９５】
プリズムシート２０Ａは、複数の単位プリズム部２４に形成された傾斜面（たとえば傾斜面２６ａ，２６ｃ）が、第１境界線ＢＬ１や第２境界線ＢＬ２に対して略平行な方向に沿って延在するように配置される。単位プリズム部２４の傾斜面２６ａ〜２６ｄは、光の屈折の作用を利用することにより、光を発光領域ＲＡの法線方向に対して第１方向（矢印Ｘ１方向）の側、第２方向（矢印Ｘ２方向）の側、第１方向に対して直交する方向の側およびその逆方向の側に進行させる。したがって、プリズムシート２０Ａを用いることにより、４方向のすべてにおいて光源幅を効果的に拡大させることが可能となる。これらと略同様あるいは類似の効果は、単位プリズム部２４が四角錐状の形状を有している場合に限られず、錐状（たとえば円錐状、三角錐状、四角錐状などの多角錐状）や、錐台状（円錐台状、三角錐台状、四角錐台状などの多角錐台状）の単位プリズム部２４によっても得られるものである。
【００９６】
［実施の形態６］
図２１を参照して、上述の各実施の形態においては、１つのプリズムシートに対して１つの面光源が対向配置される。図２１に示す面発光モジュール１０５のように、１つのプリズムシート２０に対して、複数の面光源１０Ｍ，１０Ｎが対向するように構成してもよい。光源幅の拡大という効果によって、面光源１０Ｍ，１０Ｎ間に生じた隙間を目立たなくすることができる。実施の形態７における構成は、上述の実施の形態１〜５と組み合わせて実施することも可能である。
【００９７】
［他の実施の形態］
上述の補助電極に関する説明では、陽極１２を構成している透明電極（ＩＴＯ）に補助電極を設けると述べたが、陰極１４が透明電極から構成される場合には、陰極１４側に補助電極を用いても構わない。
【００９８】
上述の実施の形態では、面光源１０の発光面１０Ｓについて、外周部や周辺部の輝度を中央部よりも高めるために補助電極が用いられる。これに限られず、外周部や周辺部の輝度を中央部よりも高めるためには、中央部の透過率を減少させるフィルター部材を用いることで輝度分布を生成するようにしてもよい。あるいは、発光領域の中央部にＵＶ光あるいはレーザー光を照射し、中央部の発光層を劣化させることで照射部の発光効率を低下させる。これにより中央部の輝度を低下させ、周辺部の輝度を相対的に高めるようにしてもよい。
【００９９】
上記の各実施の形態で説明した面光源は、いわゆるボトムエミッション型の有機ＥＬ素子である。面光源としては、上記のものに限られず、トップエミッション型の有機ＥＬ素子であってもよい。面光源は、複数の発光ダイオードと、これら複数の発光ダイオードの出射面側に配置された拡散板とから構成されるものであってもよいし、冷陰極管等を用いて構成されるものであってもよい。面光源としては、有機ＥＬ以外にも、無機ＥＬが用いられてもよいし、発光ダイオードと導光板とから構成されるものであってもよい。
【０１００】
以上、実施の形態および実施例について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１０１】
１０，１０Ａ，１０Ｃ，１０Ｍ，１０Ｎ  面光源、１０Ｓ  発光面、１１  透明基板、１２  陽極（透明電極）、１３  発光層、１４  陰極、１５  封止部材、１６  絶縁層、１７，１８  電極取出部、１７ａ，１７ｂ，１７ｃ，１７ｄ  補助電極、２０，２０Ａ  プリズムシート、２１  入射面、２２  出射面、２３  凹凸パターン、２４  単位プリズム部、２５  谷部、２６，２６ａ，２６ｂ，２６ｃ，２６ｄ，２８  傾斜面、２７  山部、３１，３２  光拡散部、４１，４２，４３，４４，４５  配線部材、１００，１０１，１０２，１０５  面発光モジュール、ＢＬ１  第１境界線、ＢＬ２  第２境界線、ＨＡ，ＨＢ  厚み、Ｎ１，Ｎ２  正面輝度、Ｐ１，Ｐ２，Ｑ１，Ｑ２  点、Ｒ１  第１外側部、Ｒ２  第２外側部、ＲＡ  発光領域、ＲＡ１ａ，ＲＡ１ｂ，ＲＡ２  線、ＲＢ  非発光領域、ＲＣ  中央部、ＲＤ  外周部、ＷＡ  幅、Ｘ１  第１方向、Ｘ２  第２方向。
【図１】
2016085797.tif 000003
【図２】
2016085797.tif 000004
【図３】
2016085797.tif 000005
【図４】
2016085797.tif 000006
【図５】
2016085797.tif 000007
【図６】
2016085797.tif 000008
【図７】
2016085797.tif 000009
【図８】
2016085797.tif 000010
【図９】
2016085797.tif 000011
【図１０】
2016085797.tif 000012
【図１１】
2016085797.tif 000013
【図１２】
2016085797.tif 000014
【図１３】
2016085797.tif 000015
【図１４】
2016085797.tif 000016
【図１５】
2016085797.tif 000017
【図１６】
2016085797.tif 000018
【図１７】
2016085797.tif 000019
【図１８】
2016085797.tif 000020
【図１９】
2016085797.tif 000021
【図２０】
2016085797.tif 000022
【図２１】
2016085797.tif 000023